(57)【要約】【課題】原稿の読み取り、特に高倍率での読み取りにおける画質の低下を抑制する。【解決手段】画像形成装置１００の制御部４０は、原稿のスキャンを行う場合に、操作部７０を介してユーザに設定された倍率を入力する。制御部４０は、このときの倍率が記憶部５０に記憶された所定の倍率（Ｔｈ＿ｍ）よりも大きい場合には、換気部３０（冷却ファン等）の駆動速度を低下させる。これにより、換気部３０の駆動に伴う振動が抑制されるため、読み取られた画像の画質低下を抑えることが可能となる。【選択図】図１
2007166060.tif 000002
【特許請求の範囲】
【請求項１】
所定の部材を駆動する駆動手段と、
原稿の読取倍率を設定する設定手段と、
前記設定手段により設定された読取倍率に応じたスキャン速度で読取位置を移動させながら原稿を読み取り、当該原稿を表す画像データを出力する読取手段と、
前記設定手段により設定された読取倍率に応じて前記駆動手段における駆動速度を低下させる制御手段と
を備えることを特徴とする画像読取装置。
【請求項２】
所定の部材を駆動する駆動手段と、
原稿の読取倍率を設定する設定手段と、
所定のスキャン速度で読取位置を移動させながら原稿を読み取り、当該原稿を表す画像データを出力する読取手段と、
前記設定手段により設定された読取倍率が決められた範囲内にあり、かつ、前記駆動手段が前記部材を駆動している場合に、前記読取手段による原稿の読み取りを禁止する禁止手段と
を備えることを特徴とする画像読取装置。
【請求項３】
前記制御手段は、前記設定手段により設定された読取倍率の増加に従って、前記駆動手段における駆動速度を段階的または連続的に低下させる
ことを特徴とする請求項１に記載の画像読取装置。
【請求項４】
前記駆動手段は、それぞれが異なる部材を駆動する複数の駆動部を有し、
前記制御手段は、前記設定手段により設定された読取倍率の増加に従って、前記駆動速度を低下させる駆動部の数を多くする
ことを特徴とする請求項１に記載の画像読取装置。
【請求項５】
前記部材は、自装置の内部を冷却するためのファンであって、
自装置の内部の温度を計測する測温手段と、
前記測温手段により計測された温度が決められた温度以上であり、かつ、前記駆動手段が前記ファンを駆動している場合に、前記読取手段による原稿の読み取りを禁止する禁止手段と
をさらに備えることを特徴とする請求項１に記載の画像読取装置。
【請求項６】
前記禁止手段は、前記駆動手段における駆動速度が決められた速度以上である場合に、前記読取手段による原稿の読み取りを禁止する
ことを特徴とする請求項２または５に記載の画像読取装置。
【請求項７】
所定の部材を駆動する駆動手段と、
原稿の読取倍率を設定する設定手段と、
前記設定手段により設定された読取倍率に応じたスキャン速度で読取位置を移動させながら原稿を読み取り、当該原稿を表す画像データを出力する読取手段と、
前記読取手段におけるスキャン速度に応じて前記駆動手段における駆動速度を低下させる制御手段と
を備えることを特徴とする画像読取装置。
【請求項８】
所定の部材を駆動する駆動手段と、
原稿の読取倍率を設定する設定手段と、
所定のスキャン速度で読取位置を移動させながら原稿を読み取り、当該原稿を表す画像データを出力する読取手段と、
前記読取手段におけるスキャン速度が決められた範囲内にあり、かつ、前記駆動手段が前記部材を駆動している場合に、前記読取手段による原稿の読み取りを禁止する禁止手段と
を備えることを特徴とする画像読取装置。
【請求項９】
請求項１ないし８のいずれかに記載の画像読取装置を備えることを特徴とする画像形成装置。
【発明の詳細な説明】
【技術分野】
【０００１】
本発明は、原稿をスキャンする場合において、読み取られる画像の画質を向上させるための技術に関する。
【背景技術】
【０００２】
スキャナ等の画像読取装置で原稿を読み取る場合には、読み取るべき倍率に応じて副走査方向の移動速度を異ならせるのが一般的である。例えば、高倍率での読み取りにおいては低速で走査を行い、低倍率での読み取りにおいては高速で走査を行う、といった具合である。
【０００３】
また、画像読取装置やこの画像読取装置を備える複写機等は、走査系以外にもさまざまな駆動部を有するのが一般的である。例えば、電子写真方式の複写機においては、定着プロセス等で生じる熱を機外に逃がすためのファンが設けられており、このファンを回転させるためのモータが備えられている。また、画像読取装置自体にも、冷却用のファンが設けられているものがある（例えば、特許文献１、２参照）。
【特許文献１】特開平４−３７２９４１号公報
【特許文献２】特開２０００−４７３３９号公報
【発明の開示】
【発明が解決しようとする課題】
【０００４】
ところで、画像読取装置で原稿を読み取るときには、上述のような駆動部が画質に悪影響を与えることがある。例えば、モータの駆動によりファンやモータに振動が生じ、その振動が撮像素子の取り付けブラケットやミラー等の光学系に伝わってしまうことがある。このような場合には、画像データにはこの振動に起因するブレが生じてしまうこことなる。このようなブレは、等倍（１００％）あるいはそれ以下の倍率のときには目立たないことが多いが、高倍率で拡大画像を得ようとしたときには、このブレが目立ちやすくなってしまうという問題がある（図１０参照）。しかしながら、従来はこのような問題への対策が取られておらず、画質の低下を免れることができなかった。
【０００５】
本発明は上述の事情に鑑みてなされたものであり、その目的は、原稿の読み取り、特に高倍率での読み取りにおける画質の低下を抑制することを可能にする技術を提供することにある。
【課題を解決するための手段】
【０００６】
上述の目的を達成するために、本発明に係る画像読取装置は、所定の部材を駆動する駆動手段と、原稿の読取倍率を設定する設定手段と、前記設定手段により設定された読取倍率に応じたスキャン速度で読取位置を移動させながら原稿を読み取り、当該原稿を表す画像データを出力する読取手段と、前記設定手段により設定された読取倍率が決められた倍率以上である場合に、前記駆動手段における駆動速度を低下させる制御手段とを備えることを特徴としている。この画像読取装置によれば、決められた倍率以上の読取倍率で原稿を読み取るときに駆動手段における駆動速度が低下するので、駆動手段において生じる振動を抑制することが可能となる。また、この画像読取装置によれば、決められた倍率未満の読取倍率で原稿を読み取るときには駆動手段における駆動速度を低下させないので、駆動手段が有する本来の機能を必要以上に損なうことを防ぐことができる。
【０００７】
なお、この画像読取装置における所定の部材には、種々の部材が該当する。この所定の部材としては、例えば、自装置の内部を冷却するためのファン（回転部材）や、記録用紙を搬送するロール部材などが該当する。つまり、この所定の部材とは、駆動部により駆動される部材であって、その駆動に際して何らかの振動を伴うものであればよく、その機能や形状は特に限定されないものである。
【０００８】
また、この画像読取装置において、前記制御手段は、前記設定手段により設定された読取倍率の増加に従って、前記駆動手段における駆動速度を段階的または連続的に低下させる構成であってもよい。あるいは、前記駆動手段は、それぞれが異なる部材を駆動する複数の駆動部を有し、前記制御手段は、前記設定手段により設定された読取倍率の増加に従って、前記駆動速度を低下させる駆動部の数を多くする構成であってもよい。このようにすれば、駆動速度の制御をよりきめ細かく行うことが可能となる。
【０００９】
なお、この画像読取装置は、より好ましい態様として、前記部材は、自装置の内部を冷却するためのファンであって、自装置の内部の温度を計測する測温手段と、前記測温手段により計測された温度が決められた温度以上であり、かつ、前記駆動手段が前記ファンを駆動している場合に、前記読取手段による原稿の読み取りを禁止する禁止手段とを備える構成とすることもできる。
【００１０】
また、本発明に係る画像読取装置は、他の態様として、所定の部材を駆動する駆動手段と、原稿の読取倍率を設定する設定手段と、所定のスキャン速度で読取位置を移動させながら原稿を読み取り、当該原稿を表す画像データを出力する読取手段と、前記設定手段により設定された読取倍率が決められた倍率以上であり、かつ、前記駆動手段が前記部材を駆動している場合に、前記読取手段による原稿の読み取りを禁止する禁止手段とを備えることを特徴としている。この画像読取装置によれば、駆動手段が駆動している間は原稿が読み取られないので、駆動手段の振動に起因する画質低下を確実に抑制することが可能となる。
【００１１】
なお、上述の画像読取装置において、制御手段による駆動速度の低下や禁止手段による原稿の読み取りの禁止は設定手段において設定された読取倍率に応じて行われていたが、これらの動作を読取手段におけるスキャン速度に応じて行ってもよい。読取倍率とスキャン速度のいずれを基準にしたとしても、得られる効果はほぼ同様である。
【００１２】
また、本発明は、上述の画像読取装置を備える画像形成装置としても特定され得るものである。すなわち、この画像形成装置とは、例えば、所定の部材を駆動する駆動手段と、原稿の読取倍率を設定する設定手段と、前記設定手段により設定された読取倍率に応じたスキャン速度で読取位置を移動させながら原稿を読み取り、当該原稿を表す画像データを出力する読取手段と、前記設定手段により設定された読取倍率が決められた倍率以上である場合に、前記駆動手段における駆動速度を低下させる制御手段と、前記読取手段により生成された画像データに応じた画像をシート（記録用紙）に形成する画像形成手段とを備える構成や、あるいは、所定の部材を駆動する駆動手段と、原稿の読取倍率を設定する設定手段と、所定のスキャン速度で読取位置を移動させながら原稿を読み取り、当該原稿を表す画像データを出力する読取手段と、前記設定手段により設定された読取倍率が決められた倍率以上であり、かつ、前記駆動手段が前記部材を駆動している場合に、前記読取手段による原稿の読み取りを禁止する禁止手段と、前記読取手段により生成された画像データに応じた画像をシート（記録用紙）に形成する画像形成手段とを備える構成のものである。
【発明を実施するための最良の形態】
【００１３】
以下では、本発明の実施の形態について図面を参照して説明する。ここでは、本発明の実施の一態様として、電子写真方式の画像形成装置（いわゆる複合機）について２種類の実施形態を挙げて説明する。
【００１４】
［１．第１実施形態］
［１−１．構成］
図１は、本発明の第１の実施形態である画像形成装置１００の構成を概略的に示したブロック図である。また、図２は、この画像形成装置１００の内部構造を示した図である。図１に示すように、画像形成装置１００は、画像読取部１０と、画像形成部２０と、換気部３０と、制御部４０と、記憶部５０と、画像処理部６０と、操作部７０と、通信部８０とを備える。
【００１５】
画像読取部１０はいわゆるスキャナの機能を有し、画像形成部２０はいわゆるプリンタの機能を有する。図２に示すように、画像読取部１０は、プラテンガラス１１と、プラテンカバー１２と、フルレートキャリッジ１３と、ハーフレートキャリッジ１４と、結像レンズ１５と、ラインセンサ１６とを備える。
【００１６】
プラテンガラス１１は読み取り対象である原稿Ｏを載置するための透明なガラス板である。プラテンカバー１２はプラテンガラス１１を覆うように設けられており、外光を遮断してプラテンガラス１１上に載置された原稿Ｏの読み取りを容易にする。フルレートキャリッジ１３は、ランプ１３１とミラー１３２とを備える。ランプ１３１は蛍光ランプ等の光源であり、原稿Ｏに対して光を照射する。ミラー１３２は原稿Ｏからの反射光をさらに反射し、この光をハーフレートキャリッジ１４へと導く光路（図中の一点鎖線）を形成する。フルレートキャリッジ１３は走査時において図２中の矢印ＡまたはＢの方向に所定の速度（スキャン速度）で移動し、原稿Ｏに光を照射しながら全面を走査する。なお、このフルレートキャリッジ１３の移動方向のことを、以下では「副走査方向」という。
【００１７】
ハーフレートキャリッジ１４はミラー１４１、１４２を備え、フルレートキャリッジ１３からの光を結像レンズ１５へと導く光路を形成する。また、ハーフレートキャリッジ１４は図示せぬ駆動機構によって駆動され、走査時においてフルレートキャリッジ１３の半分の速度でフルレートキャリッジ１３と同じ方向へと移動される。
【００１８】
結像レンズ１５はミラー１４２とラインセンサ１６とを結ぶ光路上に設けられており、原稿Ｏからの光をラインセンサ１６の位置で結像する。ラインセンサ１６は、ライン状に配列されたＣＣＤイメージセンサ等の撮像素子であり、受光光に基づいた画像信号を生成する。なお、ラインセンサ１６は図２の紙面に対して垂直方向に延在している。以下ではこの延在方向のことを「主走査方向」という。
【００１９】
画像読取部１０の構成は、以上の通りである。続いて、画像形成部２０の構成を説明する。図２に示すように、画像形成部２０は、複数のトレイユニット２１と、複数の搬送ロール２２と、一次転写ユニット２３Ｙ、２３Ｍ、２３Ｃおよび２３Ｋと、中間転写ベルト２４と、二次転写ロール２５と、バックアップロール２６と、定着器２７とを備える。
【００２０】
トレイユニット２１はそれぞれ、用紙トレイ２１１と、供給ロール２１２と、ボトムプレート２１３とを備える。用紙トレイ２１１は所定のサイズの記録用紙を収容し、供給ロール２１２は用紙トレイ２１１の最上部にある記録用紙を画像形成に合わせて供給する。ボトムプレート２１３は収容されている記録用紙の枚数に応じて上下動し、最上面の記録用紙が適当な接触圧で供給ロール２１２に接するように位置調整を行う。なお、ここにおいて「記録用紙」とは、紙等のシート状の記録材のことである。
【００２１】
搬送ロール２２は、トレイユニット２１により供給された記録用紙を二次転写ロール２５とバックアップロール２６が対向する位置に搬送する搬送経路（図中の破線）を形成する。一次転写ユニット２３Ｙ、２３Ｍ、２３Ｃおよび２３Ｋは供給される画像データに応じたトナー像を形成し、形成したトナー像を中間転写ベルト２４に転写する。
【００２２】
図３は、一次転写ユニットの構成を示した図である。一次転写ユニット２３Ｙ、２３Ｍ、２３Ｃおよび２３Ｋは、収容するトナーの色が異なるのみであって、これらの構成はほぼ同様である。すなわち、各ユニットの符号末尾のアルファベットは、トナーの色を区別するために付されているに過ぎない。そこで、ここでは符号の末尾のアルファベットを省略し、「一次転写ユニット２３」として説明する。
【００２３】
一次転写ユニット２３は、感光体ドラム２３１と、帯電器２３２と、露光器２３３と、現像器２３４と、一次転写ロール２３５とを備える。感光体ドラム２３１は表面に電荷受容体としてＯＰＣ（Organic Photo Conductor：有機光導電体）からなる光導電層が形成された像担持体であり、図中の矢印Ｃの方向に回転される。帯電器２３２は帯電ローラを備えており、感光体ドラム２３１表面を一様に帯電させる。露光器２３３はレーザダイオードにより感光体ドラム２３１に光を照射し、その表面に所定の電位の静電潜像を形成する。現像器２３４はイエロー（Ｙ）、マゼンタ（Ｍ）、シアン（Ｃ）またはブラック（Ｋ）のいずれかのトナーを収容し、感光体ドラム２３１表面との間に所定の電位差（現像バイアス）を生じさせる。トナーはこの電位差によって感光体ドラム２３１表面に形成された静電潜像に付着し、感光体ドラム２３１表面にはトナー像が形成される。一次転写ロール２３５は、中間転写ベルト２４が感光体ドラム２３１と対向する位置において所定の電位差（一次転写バイアス）を生じさせ、この電位差により中間転写ベルト２４表面にトナー像を転写させる。
【００２４】
ここで、参照する図面を再び図２に戻し、画像形成部２０のその他の構成要素について説明する。中間転写ベルト２４は、図示せぬ駆動機構によって図中の矢印Ｄの方向に移動される無端のベルト部材である。中間転写ベルト２４は、各色の感光体ドラム２３１と対向する位置においてトナー像を転写（一次転写）され、これを移動させて記録用紙に転写（二次転写）させる。二次転写ロール２５およびバックアップロール２６は、中間転写ベルト２４が記録用紙と対向する位置において所定の電位差（二次転写バイアス）を生じさせ、この電位差によって記録用紙にトナー像を転写させる。定着器２７は記録用紙を加熱および加圧するためのロール部材を備えており、記録用紙の表面に転写されたトナー像を定着させる。
【００２５】
続いて、換気部３０の構成について説明する。換気部３０はブロアファン３１を備える。ブロアファン３１は複数枚の羽根を有するインペラ（回転部材）と駆動部であるモータとを備えており、制御部４０からの指示に応じてインペラを回転させる。ブロアファン３１は図示せぬダクトを介して定着器２７等の発熱部近傍の空気を吸入し、これを機外に排出することによって発熱部の冷却を行う。なお、モータがインペラを駆動する速度（以下「駆動速度」という。）は可変であり、制御部４０の指示に応じて変化する。また、この換気部３０は、定着器２７の加熱状態に応じて換気を行う。
【００２６】
画像読取部１０、画像形成部２０および換気部３０の構成は、以上の通りである。続いて、画像形成装置１００のその他の構成を図１に基づいて説明する。制御部４０は図示せぬＣＰＵ（Central Processing Unit）やＲＡＭ（Random Access Memory）、ＲＯＭ（Read Only Memory）等を備えた演算装置であり、記憶部５０に記憶されたプログラムを実行することによって画像形成装置１００各部の動作を制御する。記憶部５０はＨＤＤ（Hard Disk Drive）等の大容量の記憶装置であり、上述した画像形成装置１００各部を動作させるためのプログラムをはじめとする各種データを記憶する。この記憶部５０には、後述する駆動速度および倍率の閾値Ｔｈ＿ｖおよびＴｈ＿ｍが記憶されている。なお、これらの具体的な値は任意であるが、ここでは閾値Ｔｈ＿ｍの値を「１２０％」であるとする。
【００２７】
画像処理部６０はＡＳＩＣ（Application Specific Integrated Circuit）やＬＳＩ（Large Scale Integration）等の画像処理回路や、画像データを一時的に記憶するイメージメモリを備えており、所定の画像処理を実行する。ここで画像処理とは、ＡＤ変換やシェーディング補正といった基本的な画像処理に加え、色空間変換や画像回転、画像拡大・縮小、下色除去（ＵＣＲ）処理、スクリーン処理などといった処理を含んでいる。
【００２８】
操作部７０は例えばタッチパネル式のディスプレイや各種のボタンを備えた入力装置であり、ユーザによる入力指示を受け付ける。ユーザは操作部７０を介して、コピー処理の開始の指示や倍率の指示を入力することができる。なお、この入力指示は制御部４０へと供給される。
【００２９】
図４は、操作部７０のディスプレイに表示される画面の一例を示した図である。同図に示すように、この画像形成装置１００においては、記録用紙のサイズに応じて「１００％」、「５０％」、「７０％」、「８１％」、「８６％」、「１１５％」、「１２１％」および「１４１％」の倍率を設定する「定型変倍」の機能を有する。なお、画像形成装置１００は、これらの倍率に限らず、例えばテンキー入力により倍率を設定する「ズーム変倍」や、原稿Ｏと記録用紙のサイズに応じて制御部４０が倍率を判断する「自動変倍」も可能となっている。また、主走査方向と副走査方向で異なる倍率とする、いわゆる「独立変倍」にて設定することも可能である。
【００３０】
通信部８０は外部装置とデータをやりとりするためのインターフェース装置である。画像形成装置１００は、必要に応じて、画像形成部２０に供給する画像データをコンピュータ等の外部装置に出力したり、あるいは外部装置から画像データを入力されることも可能となっている。
【００３１】
［１−２．動作］
以上の構成のもと、画像形成装置１００はプラテンガラス１１に載置された原稿Ｏを光学的に読み取って原稿Ｏを示す画像データを生成し、この画像データに基づいた画像を記録用紙に形成する。以下では、画像形成装置１００が原稿Ｏの読み取り（スキャン）から画像形成に至るまでに行う一連の処理（以下「コピー処理」という。）について、２種類の動作例を挙げて説明する。
【００３２】
［１−２−１．動作例１］
図５は、画像形成装置１００の第１の動作例を示したフローチャートである。ここに示す処理は、ユーザがプラテンガラス１１に原稿Ｏを載置し、コピー処理の開始を操作部７０を介して指示することにより開始される処理である。以下、同図に沿って本処理の内容を具体的に説明する。
【００３３】
まず、画像形成装置１００の制御部４０は、操作部７０を介してユーザによるコピー処理の開始指示を受け付ける（Ｓａ１）。このとき制御部４０は、コピー処理の開始指示と倍率とを入力される。そして、制御部４０はユーザに設定された倍率の値をＲＡＭに記憶する。ここでＲＡＭに記憶される倍率のことを、以下では「倍率ｍ」という。なお、ユーザに指示されたコピー処理が独立変倍である場合には、副走査方向の倍率が上述の「倍率ｍ」に相当する。
【００３４】
続いて制御部４０は、ＲＡＭに記憶された倍率ｍが記憶部５０に記憶された閾値Ｔｈ＿ｍ以上であるか否かを判断する（Ｓａ２）。この判断が肯定的、すなわち“ｍ≧Ｔｈ＿ｍ”である場合には（Ｓａ２；ＹＥＳ）、制御部４０は換気部３０に指示している駆動速度（以下「駆動速度ｖ」という。）が記憶部５０に記憶された閾値Ｔｈ＿ｖ以上であるか否かを判断する（Ｓａ３）。
【００３５】
上述のステップＳａ３における判断が肯定的、すなわち“ｖ≧Ｔｈ＿ｖ”である場合には（Ｓａ３；ＹＥＳ）、制御部４０は駆動速度ｖを閾値Ｔｈ＿ｖよりも小さな値に変更する旨の指示を換気部３０に供給する（Ｓａ４）。換気部３０はこの指示を受けて、ブロアファン３１の駆動速度を低速に切り替える。
【００３６】
次に、制御部４０は載置された原稿Ｏのスキャンを画像読取部１０に行わせる（Ｓａ５）。画像読取部１０はこの指示に応じて、フルレートキャリッジ１３およびハーフレートキャリッジ１４を移動させながら原稿Ｏに光を照射し、この反射光をラインセンサ１６で撮像してＲ、ＧおよびＢの各色の画像信号を生成する。一方、ステップＳａ２またはＳａ３の判断が否定的、すなわち“ｍ＜Ｔｈ＿ｍ”または“ｖ＜Ｔｈ＿ｖ”のいずれかの条件が満たされた場合には、制御部４０はステップＳａ４の処理を省略してステップＳａ５の処理を行う。つまり、制御部４０は換気部３０における駆動速度を変化させずに原稿Ｏのスキャンを行わせる。
【００３７】
原稿Ｏのスキャンを行ったら、制御部４０は画像読取部１０において生成された画像信号を画像処理部６０に供給し、原稿Ｏを表す画像データを生成させる（Ｓａ６）。このとき画像処理部６０は、画像信号に対してＡＤ変換、シェーディング補正および色空間変換を行うことによって、任意の表色系の画像データを生成するとともに、指定された倍率に応じた拡大・縮小処理をこの画像データに対して施す。
【００３８】
そして、これらの画像処理を実行したら、制御部４０は画像データを画像形成部２０に供給し、この画像データに基づいた画像を記録用紙に形成させる（Ｓａ７）。このとき画像形成部２０は、各色のトナー像を中間転写ベルト２４に一次転写し、供給される記録用紙に二次転写し、定着器２７により定着させる。以上でこの動作例におけるコピー処理は終了する。
【００３９】
このようなコピー処理を行うことで、画像形成装置１００は高倍率のスキャンを行う場合に、画像データに生じるブレの原因となる振動、すなわち、ブロアファン３１の駆動に起因する振動を抑制することが可能となる。ゆえに、この画像形成装置１００によれば、高倍率での読み取りにおける画質の低下を抑制することが可能となる。
【００４０】
［１−２−２．動作例２］
図６は、画像形成装置１００の第２の動作例を示したフローチャートである。以下、同図に沿って説明するが、本動作例には上述の動作例１とほぼ同内容のステップも存在するため、これらのステップについては適宜その説明を省略する。まず、画像形成装置１００の制御部４０は、操作部７０を介してユーザによるコピー処理の開始指示を受け付ける（Ｓｂ１）。このとき制御部４０は、コピー処理の開始指示と倍率とを入力される。そして、制御部４０はユーザに設定された倍率の値をＲＡＭに記憶する。ここでＲＡＭに記憶される倍率のことを、以下では「倍率ｍ」という。
【００４１】
続いて制御部４０は、ＲＡＭに記憶された倍率ｍが記憶部５０に記憶された閾値Ｔｈ＿ｍ以上であるか否かを判断する（Ｓｂ２）。この判断が肯定的、すなわち“ｍ≧Ｔｈ＿ｍ”である場合には（Ｓｂ２；ＹＥＳ）、制御部４０は換気部３０に指示している駆動速度（以下「駆動速度ｖ」という。）が記憶部５０に記憶された閾値Ｔｈ＿ｖ以上であるか否かを判断する（Ｓｂ３）。
【００４２】
上述のステップＳｂ３における判断が肯定的、すなわち“ｖ≧Ｔｈ＿ｖ”である場合には（Ｓｂ３；ＹＥＳ）、制御部４０は操作部７０に例えば「お待ち下さい。」等のメッセージを表示させ、待機状態とする（Ｓｂ４）。そして制御部４０は、ステップＳｂ３における判断が否定的になるまでこの状態を維持し、ステップＳｂ２またはＳｂ３の判断が否定的、すなわち“ｍ＜Ｔｈ＿ｍ”または“ｖ＜Ｔｈ＿ｖ”のいずれかの条件が満たされた場合には、載置された原稿Ｏのスキャンを画像読取部１０に行わせる（Ｓｂ５）。つまり、制御部４０は、換気部３０における駆動速度ｖが所定の速度（Ｔｈ＿ｖ）を下回るまでは、原稿Ｏのスキャンを禁止して実行させないということである。
【００４３】
原稿Ｏのスキャンを行ったら、制御部４０は画像読取部１０において生成された画像信号を画像処理部６０に供給し、原稿Ｏを表す画像データを生成させる（Ｓｂ６）。そして、制御部４０は画像データを画像形成部２０に供給し、この画像データに基づいた画像を記録用紙に形成させる（Ｓｂ７）。以上でこの動作例におけるコピー処理は終了する。
【００４４】
このようなコピー処理を行うことで、画像形成装置１００は、ブロアファン３１が所定の速度以上で回転している間は原稿Ｏのスキャンを禁止することが可能となる。ゆえに、この画像形成装置１００によれば、上述の動作例１と比較してスキャンから画像形成までの時間は増加するものの、換気部３０の本来の機能、すなわち冷却の機能を損なうことなく、高倍率での読み取りにおける画質の低下を抑制することが可能となる。
【００４５】
［２．第２実施形態］
続いて、本発明の第２の実施形態について説明する。なお、本実施形態の構成は上述の第１実施形態の構成と類似しており、共通の構成要素も存在する。そこで、本実施形態においては、上述の第１実施形態と共通する構成要素には同一の符号を付し、その説明を適宜省略することとする。
【００４６】
［２−１．構成］
図７は、本発明の第２の実施形態である画像形成装置２００の構成を概略的に示したブロック図である。同図に示すように、画像形成装置２００は測温部９０を備えている点を除けば、上述した画像形成装置１００の構成とほぼ同様である。測温部９０は図示せぬ温度センサを備え、装置内部の所定の位置における温度を測定する。温度センサの設けられる位置は任意であるが、冷却対象の部材の近傍であることが望ましい。温度センサにおいて測定された温度の値は制御部４０に供給される。なお、記憶部５０ａは記憶されているデータが異なる点を除けば、上述した画像形成装置１００の記憶部５０とほぼ同様である。この記憶部５０ａは後述する温度の閾値Ｔｈ＿ｔを記憶している。
【００４７】
［２−２．動作］
続いて、この画像形成装置２００が行うコピー処理を図８のフローチャートに沿って説明する。なお、ここにおいても、上述の第１実施形態に示したコピー処理と同様のステップについての説明は適宜省略する。
【００４８】
まず、画像形成装置１００の制御部４０は、操作部７０を介してユーザによるコピー処理の開始指示を受け付ける（Ｓｃ１）。このとき制御部４０は、コピー処理の開始指示と倍率とを入力される。そして、制御部４０はユーザに設定された倍率の値をＲＡＭに記憶する。ここでＲＡＭに記憶される倍率のことを、以下では「倍率ｍ」という。
【００４９】
続いて制御部４０は、測温部９０に装置内部の温度を測定させる（Ｓｃ２）。測温部９０は測定した温度（以下「温度ｔ」という。）を制御部４０に供給し、制御部４０は温度ｔをＲＡＭに記憶する。続いて制御部４０は、ＲＡＭに記憶された倍率ｍが記憶部５０に記憶された閾値Ｔｈ＿ｍ以上であるか否かを判断し（Ｓｃ３）、この判断が肯定的であれば（Ｓｃ３；ＹＥＳ）、ステップＳｃ２において取得された温度ｔが記憶部５０に記憶された閾値Ｔｈ＿ｔ以上であるか否かを判断する（ステップＳｃ４）。この判断が肯定的、すなわち“ｔ≧Ｔｈ＿ｔ”である場合には（Ｓｃ４；ＹＥＳ）、制御部４０は操作部７０に例えば「お待ち下さい。」等のメッセージを表示させ、待機状態とする（Ｓｃ５）。そして制御部４０は、ステップＳｃ４における判断が否定的になるまでこの状態を維持する。
【００５０】
上述のステップＳｃ４における判断が否定的、すなわち“ｔ＜Ｔｈ＿ｔ”となった場合には、制御部４０は換気部３０に指示している駆動速度（以下「駆動速度ｖ」という。）が記憶部５０に記憶された閾値Ｔｈ＿ｖ以上であるか否かを判断する（Ｓｃ６）。そして制御部４０は、この判断が肯定的、すなわち“ｖ≧Ｔｈ＿ｖ”である場合には（Ｓｃ６；ＹＥＳ）、制御部４０は駆動速度ｖを閾値Ｔｈ＿ｖよりも小さな値に変更し、この指示を換気部３０に供給する（Ｓｃ７）。換気部３０はこの指示を受けて、ブロアファン３１の駆動速度を低速に切り替える。その後制御部４０は、載置された原稿Ｏのスキャンを画像読取部１０に行わせ（Ｓｃ８）、原稿Ｏを表す画像データを生成させた上で画像を記録用紙に形成させる（Ｓｃ９、Ｓｃ１０）。
【００５１】
一方、ステップＳｃ３またはＳｃ６における判断が否定的、すなわち、制御部４０のＲＡＭに記憶された倍率ｍが記憶部５０に記憶された閾値Ｔｈ＿ｍ未満である場合や、駆動速度ｖが記憶部５０に記憶された閾値Ｔｈ＿ｖ未満である場合には、制御部４０は駆動速度ｖの変更を行わずに原稿Ｏのスキャンを行わせ（Ｓｃ８）、原稿Ｏを表す画像データを生成させた上で画像を記録用紙に形成させる（Ｓｃ９、Ｓｃ１０）。
【００５２】
このようなコピー処理を行うことで、画像形成装置２００は、装置内の温度が高い場合には冷却を優先してスキャンを禁止する一方、装置内の温度が低い場合にはブロアファン３１の駆動速度を低下させて画質の低下を抑制させるスキャンを行うことが可能となる。ゆえに、この画像形成装置２００によれば、ブロアファン３１の駆動速度の低下による装置内の温度上昇を最小限に抑えつつ、高倍率での読み取りにおける画質の低下を抑制することが可能となる。
【００５３】
［３．変形例］
なお、本発明は上述した実施形態にのみ限定されるものではなく、種々の態様にて実施することが可能である。具体的には、例えば以下のような変形が挙げられる。なお、これらの変形は、各々を適宜に組み合わせることも可能である。
【００５４】
上述の実施形態においては、画像読取部１０はプラテンガラス１１に載置された原稿をフルレートキャリッジ１３を移動させながら読み取る構成を採用したが、他の構成を採用することも可能である。例えば、原稿を移動させることで画像を読み取る、いわゆるＡＤＦ（Auto Document Feeder：自動原稿送り装置）を用いてもよい。要するに、読取位置が副走査方向に移動するのであれば足りるのであり、移動させる対象は特に問わないということである。
【００５５】
また、上述の実施形態においては、ステップＳａ２やステップＳｂ２における判断を倍率ｍ、すなわちユーザにより設定された読取倍率を基準に行っていたが、読取倍率に代えて画像読取部１０におけるスキャン速度を基準としてもよい。読取倍率とスキャン速度のいずれを基準にしたとしても、得られる効果はほぼ同様である。
【００５６】
なお、上述の実施形態においては、ブロアファン３１の駆動速度を低下させると説明したが、駆動速度が低下した状態には駆動速度がゼロである状態も含まれる。つまり、上述した所定の条件を満たす場合に、ブロアファン３１を停止させてもよい。また、上述の実施形態においては、駆動部の一例として換気部３０を挙げたが、駆動速度の制御対象は換気部３０以外の駆動部であってもよい。例えば、トレイユニット２１内のボトムプレート２１３の上下動を制御してもよいし、画像形成部２０の各所にある搬送ロール２２の回転を制御してもよい。つまり、ここにおける駆動部は、駆動力を与えられて回転あるいは移動する部材を備えており、その駆動に際して何らかの振動を伴うものであればよく、その機能や形状は特に限定されないものである。
【００５７】
また、駆動速度を低下させる場合には、図９に例示したように、駆動速度を倍率ｍや温度ｔに応じて段階的あるいは連続的に変化させてもよい。なお、図９（ａ）は駆動速度ｖを倍率ｍの増加に応じて連続的に低下させる場合の例であり、図９（ｂ）は駆動速度ｖを倍率ｍの増加に応じて段階的に低下させる場合の例である。
【００５８】
さらに、制御対象とする駆動部が複数あってもよい。この場合において、それぞれの駆動部が駆動するものは同種の部材（例えば複数のファン）であってもよいし、異種の部材（例えばファンとボトムプレート）であってもよい。また、この場合において、例えば倍率が１２０％〜１４０％のときにはファンの駆動速度のみを低下させ、倍率が１４１％以上のときにはファンとボトムプレートの駆動速度を低下させるというように、倍率の変化に応じて駆動速度を制御する駆動部を増やしたり、あるいは変更したりしてもよい。このとき、大きな振動を与える駆動部から優先的に駆動速度を低下させたり、画像読取部に近い駆動部から優先的に駆動速度を低下させたりしてもよい。
【００５９】
なお、上述の実施形態においては、本発明の一例として電子写真方式の画像形成装置を示したが、その他の記録方式の画像形成装置であってもよい。また、電子写真方式の画像形成装置にあっても、いわゆるロータリー方式の現像装置を採用するなど、種々の変形を行うことも可能である。さらに、画像形成装置に限らず、本発明を例えばスキャナ（画像読取装置）にて実施することも可能である。
【図面の簡単な説明】
【００６０】
【図１】本発明の第１の実施形態である画像形成装置の構成を概略的に示したブロック図である。
【図２】同画像形成装置の内部構造を示した図である。
【図３】同画像形成装置の一次転写ユニットの構成を示した図である。
【図４】同画像形成装置の操作部に表示される画面の一例を示した図である。
【図５】同画像形成装置の第１の動作例を示したフローチャートである。
【図６】同画像形成装置の第２の動作例を示したフローチャートである。
【図７】本発明の第２の実施形態である画像形成装置の構成を概略的に示したブロック図である。
【図８】同画像形成装置が行うコピー処理を示したフローチャートである。
【図９】速度変化の変形例を示した図である。
【図１０】従来の技術において拡大画像に生じるブレを例示した図である。
【符号の説明】
【００６１】
１００、２００…画像形成装置、１０…画像読取部、１１…プラテンガラス、１２…プラテンカバー、１３…フルレートキャリッジ、１４…ハーフレートキャリッジ、１５…結像レンズ、１６…ラインセンサ、２０…画像形成部、２１…トレイユニット、２２…搬送ロール、２３、２３Ｙ、２３Ｍ、２３Ｃ、２３Ｋ…一次転写ユニット、２４…中間転写ベルト、２５…二次転写ロール、２６…バックアップロール、２７…定着器、３０…換気部、４０…制御部、５０、５０ａ…記憶部、６０…画像処理部、７０…操作部、８０…通信部
【図１】
2007166060.tif 000003
【図２】
2007166060.tif 000004
【図３】
2007166060.tif 000005
【図４】
2007166060.tif 000006
【図５】
2007166060.tif 000007
【図６】
2007166060.tif 000008
【図７】
2007166060.tif 000009
【図８】
2007166060.tif 000010
【図９】
2007166060.tif 000011
【図１０】
2007166060.tif 000012